(57)【要約】【課題】ＬＥＤを光源として用いた新規な照明装置、具体的には複雑な機構部を要せず、所望の位置で照明用の光を出射させることのできる照明装置を提供する。【解決手段】側面からの入射光を、点在して形成された光拡散部により外部に出射させる板状のパネルと、前記パネルの側面から光を入射させる光源部と、前記光源部を保持する保持部材と、前記パネルの外縁部に、前記保持部材の案内及び任意の位置で停止保持させるためのガイド部と、を有する照明装置とする。【選択図】図２
2012022788.tif 000002
【特許請求の範囲】
【請求項１】
側面からの入射光を、点在して形成された光拡散部により外部に出射させる板状のパネルと、
前記パネルの側面から光を入射させるよう構成された発光ダイオードを有する光源部と、
前記光源部を保持する保持部材と、
前記パネルの外縁部に、前記保持部材の案内及び任意の位置で停止保持させるためのガイド部と、を有することを特徴とする照明装置。
【請求項２】
前記パネルの表面積に占める前記光拡散部の面積の割合を、前記光源部から遠ざかるに従って大きくしたことを特徴とする請求項１に記載の照明装置。
【請求項３】
前記光拡散部は、散乱粒子の混入、粗面、シート材の貼り付け、印刷、レーザ加工又はエンボス加工の何れかで形成されていることを特徴とする請求項１又は２に記載の照明装置。
【請求項４】
前記パネルの側面と前記発光ダイオードの間に光を収束させるレンズが配置されていることを特徴とする請求項１から３までのいずれか一項に記載の照明装置。
【請求項５】
前記パネル及び前記ガイド部が可撓性を有することを特徴とする請求項１から４までのいずれか一項に記載の照明装置。
【発明の詳細な説明】
【技術分野】
【０００１】
本発明は照明装置、特に発光ダイオードを光源として用いた照明装置に関するものである。
【背景技術】
【０００２】
近年、電球型の照明装置やペンライト等の照明装置として、発光ダイオード（ＬＥＤ）を用いたものが市販されている。
【０００３】
また、ＬＥＤを光源として用いるものの応用展開として、透明部材および半透明部材の少なくとも一方から構成されたパネルと、このパネルに光を導入するＬＥＤ光源と、ＬＥＤ光源を移動させる駆動機構とを備え、ＬＥＤから出射される光により該パネルの透過、非透過を制御して間仕切りを行うパーテーションが知られている（例えば、特許文献１参照）。
【先行技術文献】
【特許文献】
【０００４】
【特許文献１】特開２００５−２５６３３３号公報
【発明の概要】
【発明が解決しようとする課題】
【０００５】
ＬＥＤは発光部が極めて小型であり、上記特許文献１のような応用以外にも各種の応用が考えられる。
【０００６】
例えば、従来の卓上型の照明装置においては、照明状態を変化させるには発光部をアーム等に支持させ該アームを調整後固定することで行うのが一般的であり、アーム等の機構部は複雑で多くのコストを要していた。
【０００７】
本発明は、ＬＥＤを光源として用いた新規な照明装置、具体的には複雑な機構部を要せず、所望の位置で照明用の光を出射させることのできる照明装置を提供することを目的とするものである。
【課題を解決するための手段】
【０００８】
上記の目的は、下記の構成により達成される。
【０００９】
（１）側面からの入射光を、点在して形成された光拡散部により外部に出射させる板状のパネルと、前記パネルの側面から光を入射させるよう構成された発光ダイオードを有する光源部と、前記光源部を保持する保持部材と、前記パネルの外縁部に、前記保持部材の案内及び任意の位置で停止保持させるためのガイド部と、を有することを特徴とする照明装置。
【００１０】
（２）前記パネルの表面積に占める前記光拡散部の面積の割合を、前記光源部から遠ざかるに従って大きくしたことを特徴とする前記（１）に記載の照明装置。
【００１１】
（３）前記光拡散部は、散乱粒子の混入、粗面、シート材の貼り付け、印刷、レーザ加工又はエンボス加工の何れかで形成されていることを特徴とする前記（１）又は（２）に記載の照明装置。
【００１２】
（４）前記パネルの側面と前記発光ダイオードの間に光を収束させるレンズが配置されていることを特徴とする前記（１）から（３）までのいずれかに記載の照明装置。
【００１３】
（５）前記パネル及び前記ガイド部が可撓性を有することを特徴とする前記（１）から（４）までのいずれかに記載の照明装置。
【発明の効果】
【００１４】
本発明によれば、ＬＥＤを光源として用いた新規な照明装置、具体的には複雑な機構部を要せず、所望の位置で照明用の光を出射させることのできる照明装置を提供することが可能となる。
【図面の簡単な説明】
【００１５】
【図１】本実施の形態に係る照明装置の斜視図である。
【図２】本実施の形態に係る照明装置の保持部材の一例を示す拡大断面模式図である。
【図３】パネルに形成された光拡散部の例を示す平面図である。
【図４】パネルに形成する光拡散部の例を示す模式断面図である。
【図５】本実施の形態に係る照明装置の保持部材の他の例を示す拡大断面模式図である。
【図６】本実施の形態に係る照明装置の適用例を示す模式図である。
【発明を実施するための形態】
【００１６】
以下、実施の形態により本発明を説明するが、本発明はこれに限定されるものではない。
【００１７】
図１は、本実施の形態に係る照明装置１の斜視図である。
【００１８】
図１に示す照明装置１は、透光性を有すると共に表面もしくは内部に光拡散部を点在させて形成された板状のパネル１０と、光源部１１と、光源部１１を保持する保持部材１２と、パネル１０の外縁部に形成された保持部材１２を保持及び移動させる際の案内のためのガイド部１４及び１５で構成されている。
【００１９】
なお、本実施の形態に係る照明装置に用いられるパネル１０の透光性としては、板厚方向でパネル１０を介して反対側が視認できるものであればよく、好ましくは透過率７０％以上、透過率８５％以上であればより好ましい。
【００２０】
ガイド部１４、１５には、それぞれ溝部１４ｍ、１５ｍが形成されている。光源部１１を保持する保持部材１２は、該溝部１４ｍ、１５ｍに案内されて移動できるようになっており、更に該溝部１４ｍ、１５ｍの任意の位置で保持できるようになっている。
【００２１】
なお、図１では、パネル１０の一つの外縁部にガイド部１４及び１５、光源部１１を保持する保持部材１２を配置した例を示しているが、これに限らず、二つ以上の外縁部にガイド部１４及び１５、光源部１１を保持する保持部材１２を配置してもよい。また、一つの外縁部に光源部１１を保持する保持部材１２を複数個配置してもよい。
【００２２】
図２は、本実施の形態に係る照明装置１の保持部材１２の一例を示す拡大断面模式図である。
【００２３】
図２に示す保持部材１２は、クリップ式のものであり、腕部２１及び２２が軸２３により軸支されている。軸２３には不図示のねじりコイルバネが掛けられており、腕部２１及び２２のグリップ部２１ａ、２２ａがガイド部１４、１５に形成された溝部１４ｍ、１５ｍを挟む方向に付勢されている。
【００２４】
腕部２１及び２２のツマミ部２１ｂ、２２ｂを双方から押圧挟持することで、グリップ部２１ａ、２２ａが溝部１４ｍ、１５ｍと離間又は、グリップ部２１ａ、２２ａの溝部１４ｍ、１５ｍへの押圧力が解除され、溝部１４ｍ、１５ｍに沿って移動させることができるようになっている。また、保持部材１２は、図示のように、基板２５上に実装されたＬＥＤチップ２６と、ＬＥＤチップ２６からの光を収束させてパネル１０の側面から光を入射させるよう配置されたレンズ２７で構成された光源部１１を保持している。レンズ２７を用いることで、ＬＥＤチップ２６からの光を効率よくパネル１０に入射させることができる。なお、２８は電源コードである。
【００２５】
すなわち、保持部材１２をガイド部１４、１５に沿って任意の位置に移動させ、手を離すことで、不図示のねじりコイルバネの付勢力によりガイド部１４、１５の任意の位置で挟持させることができ、ＬＥＤチップ２６からの光をパネル１０に入射させることができる。なお、ＬＥＤチップ２６は複数個配置されていてもよい。
【００２６】
また、パネル１０には光拡散部３０が形成されている（図２は、印刷で乳白色の光拡散部３０を形成した例である）。図示のように、パネル１０に入射した光は、パネル１０の表面で全反射を繰り返し、光拡散部３０に到達した光はここで拡散反射されてパネル１０の外部に出射する。この出射した光が照明光となる。
【００２７】
パネル１０には、光拡散部３０が点在して多数形成されており、これにより、図１に示すパネル１０の帯状の領域１０ｓから照明光が出射されることになる。また、パネル１０の帯状の領域１０ｓ以外の領域は、透光性を有するため周囲の環境の視認性を良好なものとすることができる。
【００２８】
図３は、パネル１０に形成された光拡散部３０の例を示す平面図である。図３（ａ）は光源部１１が一つの外縁部に配置された場合の光拡散部３０の形成例を示し、図３（ｂ）は光源部１１が対向する二つの外縁部に配置された場合の光拡散部３０の形成例を示している。
【００２９】
図３（ａ）に示すように、光源部１１が一つの外縁部に配置されている場合には、光源部１１に近い側の光拡散部３０の面積を小さく、光源部１１に遠い側の光拡散部３０の面積を大きく形成することが好ましい。
【００３０】
また、図３（ｂ）に示すように、光源部１１が対向する二つの外縁部に配置されている場合には、光源部１１が配置された外縁部に近い側の光拡散部３０の面積を小さく、光源部１１に遠い側、すなわち略中央部の光拡散部３０の面積を大きく形成することが好ましい。
【００３１】
すなわち、パネル１０の表面積に占める光拡散部３０の面積の割合は、光源部１１から遠ざかるに従って大きく形成することが好ましい。これにより、パネル１０の一側面から入射した光は帯状にパネル１０の外部に出射し、光源部１１に近い側と光源部１１から遠い側から出射する照明光を略均一にすることができる。
【００３２】
なお、図３では、光拡散部３０を円形のもので説明したが、これに限るものでなく、楕円形状、矩形状等、任意の形状でよい。
【００３３】
図４は、パネル１０に形成する光拡散部３０の例を示す模式断面図である。
【００３４】
図４（ａ）はパネル１０の表面に、印刷により光拡散部３０を形成した例である。また、両面に光拡散部３０を形成してもよい。
【００３５】
図４（ｂ）はパネル１０の表面に、光拡散部３０を形成したシート材３５を貼り付けた例である。また、両面に光拡散部３０を形成してもよい。
【００３６】
図４（ｃ）はパネル１０にエンボス加工を施し光拡散部３０を形成した例である。
【００３７】
図４（ｄ）はパネル１０の内面にレーザ光を集光させて光拡散部３０を形成した例である。
【００３８】
また、不図示であるが、パネル１０の表面に粗面を点在させて形成してもよいし、散乱粒子を混入させた材料を用いて成形することでパネル１０内に光拡散部３０を形成してもよい。
【００３９】
図５は、本実施の形態に係る照明装置１の保持部材１２の他の例を示す拡大断面模式図である。図５に示す保持部材１２については、図２に示す保持部材１２と異なる部分についてのみ説明する。図５に示す保持部材１２は、手動でなく、電動でパネル１０の外縁部の任意の位置で停止保持できるように構成したものである。
【００４０】
図５に示す保持部材１２は、腕部２２に減速歯車列を内蔵したギヤードモータ４３を配置し、このギヤードモータ４３の出力軸に駆動ローラ４２を連設してガイド部１５の溝部１５ｍに係合させている。また、従動ローラ４１を腕部２１に配置し、ガイド部１４の溝部１４ｍに係合させている。
【００４１】
これにより、電源コード２８からの電力を用いてギヤードモータ４３を駆動し、電動により移動させることが可能となる。
【００４２】
また、不図示であるが、保持部材１２に受信部とギヤードモータ４３の制御部を内蔵させ、リモコンにより動作させてもよい。
【００４３】
本実施の形態に係る照明装置１は、帯状の面発光となり、照射される側で影が生じにくい効果を有しており、各種の応用が考えられる。以下に、その適用例を示す。
【００４４】
図６は、本実施の形態に係る照明装置１の適用例を示す模式図である。図６（ａ）は作業机上に照明装置１を適用した例を示す模式図であり、図６（ｂ）はコピースタンドの照明用に照明装置１を適用した例を示す模式図である。
【００４５】
図６（ａ）に示すように、筆記作業、組み立て作業等に使用すると作業に応じて光源部を保持する保持部材１２を移動させることにより、照明方向を自由に変更でき、照明光が出射される領域以外は周囲の環境の視認性を良好なものとでき、利便性の高い照明装置となる。
【００４６】
また、図６（ｂ）に示すように、複写用のカメラ５１の両側に照明装置１を配置することで照明方向を自由に変更できると共に、照明源が幅をもった帯状の面となるため陰影状態の調整等が容易となり、利便性の高い照明装置となる。
【００４７】
なお、上述の実施の形態の照明装置におけるパネル及びガイド部を可撓性を有する材料で形成し、自由に変形できるように構成してもよい。この場合には、パネルに弾性系アクリルを用い、ガイド部には弾性系アクリルや、柔軟なポリプロピレン等を用いればよい。このように自由に変形できるように構成することで、より利便性の高い照明装置とすることができる。
【符号の説明】
【００４８】
１  照明装置
１０  パネル
１１  光源部
１２  保持部材
１４、１５  ガイド部
１４ｍ、１５ｍ  溝部
２１、２２  腕部
２１ａ、２２ａ  グリップ部
２１ｂ、２２ｂ  ツマミ部
２３  軸
２５  基板
２６  ＬＥＤチップ
２７  レンズ
２８  電源コード
３０  光拡散部
３５  シート材
４１  従動ローラ
４２  駆動ローラ
４３  ギヤードモータ
【図１】
2012022788.tif 000003
【図２】
2012022788.tif 000004
【図３】
2012022788.tif 000005
【図４】
2012022788.tif 000006
【図５】
2012022788.tif 000007
【図６】
2012022788.tif 000008